【事件の表示】
　平成　３年特許願第５１６６９１号「テレビジョンスケジュールシステムのユーザーインタフェース」拒絶査定に対する審判事件［平成　４年　３月１９日国際公開、ＷＯ９２／０４８０１、平成　６年　５月１２日国内公表、特表平　６−５０４１６５］について、次のとおり審決する。
【結　論】
　本件審判の請求は、成り立たない。
【理　由】
１　本願発明
　本願は、平成３年９月１０日の出願（優先権主張：米国、１９９０年９月１０日）であって、その請求項７に係る発明（以下「本願発明」という。）は、平成５年１２月１５日、平成７年２月２日、平成９年１１月６日、平成１１年４月２０日、平成１２年９月２５日、平成１２年１０月２０日、平成１４年３月１１日付けの手続補正書により補正された明細書および図面の記載からみて、特許請求の範囲の請求項７に記載された次のとおりのものと認める。
「【請求項７】テレビジョン番組リストが表示される複数のセルを有する時間とチャンネルのガイド、
　複数のセルの内の一つを他のセルに比して選択的に目立たされた移動可能なカーソル、及び
　ガイド内でのカーソルの移動に応答して、ガイド機能を活動する手段から成り、前記活動する手段が、テレビジョン番組リストと同時に、目立たされたセル内に表示されたテレビジョン番組リストに対応する番組ノートを表示する手段を含む電子番組ガイド。」
　
 ２　刊行物発明
 （１）これに対して、当審拒絶理由で引用された、本願の優先権主張の日前である平成１年８月２３日に頒布された「特開平１−２０９３９９号公報」（以下「刊行物１」という。）は、「情報処理システム」に関するものであって、その公報には次の事項が記載されている。
ア　「ＦＤは、予め提供される１週間分の放送スケジユールを記録しており、このＦＤに記録されている放送スケジユールの内容を示すデータの論理フオーマツトが第２図に示されている。１日分のデータは、日付フイールド８、曜日フイールド８’に続き、各チヤンネル毎に時間フイールドと番組フイールドとにより記録されている。」（３頁左上欄９行ないし１６行、第２図）
イ　「前述のフオーマツトにおいて、時間フイールド１０−１，１０−２には、対応する番組フイールド１１−１，１１−２で示される番組の開始及び終了時刻が記録されており、番組フイールド１１−１，１１−２には、一般的には番組名称と、必要に応じてその番組の概要が記録されている。」（３頁右上欄１０行ないし１５行、第２図）
ウ　「デイスプレイ装置１には、９月２０日の番組表が表示される。この表示を目視しながらカーソル移動キー１６を操作し、カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チヤンネルスクロールが行われ、画面上には、他チヤンネルの番組が表示される。第３図にはこのようにして表示された画面の一例が示されており、ＦＤ内の日付フイールド８，曜日フイールド８’の情報は、日付エリア１２に、チヤンネルフイールド９−１，９−２の情報は、チヤンネルエリア１３−１，１３−２に夫々表示され、番組フイールド１１−１，１１−２の情報は、時間フイールド１０−１，１０−２を表示する時間エリア１４に対応した番組エリア１５に夫々表示される。第３図に示す例では、１９時〜２３時における第１チヤンネルと第２チヤンネルの番組表が表示されている。録画予約を行おうとする操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり、第３図では、カーソルは斜線で表されていて、ニユースＡが選択された状態を示している。この状態で、設定スイツチ１８を操作すると、予約制御部４は、ニユースＡを録画するために必要な、ＦＤ内の日付フイールド８，曜日フイールド８’、チヤンネルフイールド９−１，時間フイールド１０−１の情報をＶＴＲ制御部３内にセツトし、ニユースＡの録画予約が完了する。…（中略）…前述の実施例は、１画面に２つのチヤンネルの番組表を表示できるようにしたが、表示されるチヤンネル数はさらに多くしてもよい。また、例えば、１個のチヤンネルのみとして、表示できる時間帯を多くしてもよい。…（中略）…提供されるテレビ放送番組のスケジユールを画面上に表示しながら、表示画面上で所望する番組を選択するのみで、番組の録画予約を行うことができるので、簡単な操作で、確実な録画予約を行うことができる。」（３頁左下欄６行ないし４頁左上欄１６行、第３図）
エ　これらの記載事項からして、刊行物１には、「ＦＤは、予め提供される１週間分の放送スケジユールを記録しており、このＦＤに記録されている放送スケジユールの内容を示すデータの論理フオーマツトは、１日分のデータが、日付フイールド８、曜日フイールド８’に続き、各チヤンネル毎に時間フイールドと番組フイールドとにより記録されており、上記フオーマツトにおいて、時間フイールド１０−１，１０−２には、対応する番組フイールド１１−１，１１−２で示される番組の開始及び終了時刻が記録されており、番組フイールド１１−１，１１−２には、一般的には番組名称と、必要に応じてその番組の概要が記録されており、
　デイスプレイ装置１の番組表の表示を目視しながらカーソル移動キー１６を操作し、カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チヤンネルスクロールが行われ、画面上には、他チヤンネルの番組が表示され、
　ＦＤ内の日付フイールド８，曜日フイールド８’の情報は、日付エリア１２に、チヤンネルフイールド９−１，９−２の情報は、チヤンネルエリア１３−１，１３−２に夫々表示され、番組フイールド１１−１，１１−２の情報は、時間フイールド１０−１，１０−２を表示する時間エリア１４に対応した番組エリア１５に夫々表示され、
　録画予約を行おうとする操作者は、この表示画面の中に所望する番組を見付け出すと、カーソル移動キー１６を操作して、カーソルを所望の番組に移動させ、カーソルは、その番組を表示しているエリア全体の色を変える等により、その番組を選択していることを示すものであり、この状態で、設定スイツチ１８を操作すると、予約制御部４は、録画するために必要な、ＦＤ内の日付フイールド８，曜日フイールド８’、チヤンネルフイールド９−１，時間フイールド１０−１の情報をＶＴＲ制御部３内にセツトし、録画予約が完了し、
　１画面に２つのチヤンネルの番組表のチヤンネル数はさらに多くしてもよく、１個のチヤンネルのみとして、表示できる時間帯を多くしてもよく、
　提供されるテレビ放送番組のスケジユールを画面上に表示しながら、表示画面上で所望する番組を選択するのみで、番組の録画予約を行うことができるので、簡単な操作で、確実な録画予約を行うことができる情報処理システム。」（以下「刊行物発明」という）が記載されていると認められる。
３　本願発明と刊行物発明との対比
　本願発明と刊行物発明を対比すると、
（１）刊行物発明の、画面に表示された、時間エリアに対応した番組エリアは、本願発明の「セル」に相当し、刊行物発明の、画面に表示されたテレビ放送の番組表は、本願発明の「ガイド」に相当し、また、当該番組表は、「１画面に２つのチヤンネルの番組表のチヤンネル数はさらに多くしてもよく、１個のチヤンネルのみとして、表示できる時間帯を多くしてもよ」いものである。してみれば、刊行物発明は、本願発明の「テレビジョン番組リストが表示される複数のセルを有する時間とチャンネルのガイド」に相当する構成を有している。
（２）刊行物発明は、録画予約を行おうとする操作者が、カーソル移動キーを操作して、カーソルを所望の番組に移動させ、カーソルは、その番組を表示しているエリア全体の色を変える等により、その番組を選択していることを示すものである。したがって、刊行物発明は、本願発明の「複数のセルの内の一つを他のセルに比して選択的に目立たされた移動可能なカーソル」に相当する構成を有している。
（３）刊行物発明の番組表が本願発明のガイドに相当することは（１）で言及したとおりであり、番組名称とその番組の概要が記録されている番組フイールドの情報は、時間フイールドを表示する時間エリアに対応した番組エリアに表示されるものである。すなわち、当該番組エリアに番組名称とその番組の概要が表示されるものである。
　そして、刊行物発明の「番組の概要」は、本願発明の「番組ノート」と同様に、それぞれの番組について記したものであるから、本願発明の「番組ノート」に相当する。
　したがって、刊行物発明は、本願発明の「テレビジョン番組リストと、セル内に表示されたテレビジョン番組リストに対応する番組ノートを表示する手段」に対応する構成を有している。
（３）刊行物発明の「画面に表示された番組表」は、本願発明の「電子番組ガイド」に相当する。
（４）したがって、両者は「テレビジョン番組リストが表示される複数のセルを有する時間とチャンネルのガイド、複数のセルの内の一つを他のセルに比して選択的に目立たされた移動可能なカーソル、及びテレビジョン番組リストと、セル内に表示されたテレビジョン番組リストに対応する番組ノートを表示する手段を含む電子番組ガイド。」である点で一致し、次の点で一応相違しているものと認められる。
　ア　番組ノートの表示について、本願発明は、「ガイド内でのカーソルの移動に応答して、ガイド機能を活動する手段から成り、前記活動する手段が、同時に、目立たされたセル内に表示されたテレビジョン番組リストに対応する番組ノートを表示する」ものであるのに対し、刊行物発明は、目立たされていないセルにおいても、セル内に表示されたテレビジョン番組リストに対応する番組ノートを表示する点
　
４　相違点についての検討
（１）相違点アについて
　相違点アに対応する構成であるところの、カーソルの移動に応答して、目立たされたカーソル位置にある項目・内容と同時に、それに対応する情報を表示する手段（活動する手段）を有している点は周知技術（必要ならば、特開昭６３−２４７８１２号公報、特開昭６２−４９５２８号公報、特開昭６３−２７６０６９号公報、特開平１−９９１２２号公報、特開平１―１４２９１８号公報参照）である。
　そして、刊行物発明と上記周知技術は、情報の表示機能ないし作用の点で共通するものであり、情報表示装置として一般に求められる目的・課題を考えれば、必ずしも異なった技術分野といえないから、上記周知技術を採用することは当業者が容易に推考できたものであるし、また、上記相違点に基づく本願発明の効果に格別顕著なものは認められない。
　
５　むすび
　したがって、本願発明は、刊行物に記載された発明に基いて当業者が容易に発明をすることができたものであるので、特許法第２９条第２項の規定により特許を受けることができない。
　よって、結論のとおり審決する。